(57)【要約】【課題】  従来のフォトニック結晶光ファイバより大きい実効断面積Ａeffを有し、かつ広帯域に亘って波長分散が低く、かつ低損失であるフォトニック結晶光ファイバを提供する。【解決手段】  コア部１と、コア部１を包囲する内層クラッド部２と、内層クラッド部２から間隔ｌを空けて包囲する外層クラッド部３とを有し、内層クラッド部２および外層クラッド部３に複数の空孔５，６をそれぞれ形成し、かつ間隔Ｌには空孔を形成せず、コア部１の屈折率ｎcと、内層クラッド部２の実効屈折率ｎcl1と、外層クラッド部３の実効屈折率ｎcl2がｎc＞ｎcl2＞ｎcl1なる関係として、外層クラッド部３の内周ａ2で囲まれる領域に光を伝送させるようにした。【選択図】        図１
2006053331.tif 000002
【特許請求の範囲】
【請求項１】
コア部と、前記コア部を包囲する内層クラッド部と、前記内層クラッド部から間隔を空けて包囲する外層クラッド部とを有し、前記内層クラッド部および前記外層クラッド部に複数の空孔をそれぞれ形成し、かつ前記間隔には空孔を形成しないことを特徴とするフォトニック結晶光ファイバ。
【請求項２】
前記コア部の屈折率ｎcと、前記内層クラッド部の実効屈折率ｎcl1と、前記外層クラッド部の実効屈折率ｎcl2が
ｎc＞ｎcl2＞ｎcl1
なる関係であることを特徴とする請求項１に記載されたフォトニック結晶光ファイバ。
【請求項３】
前記ｎcl2の前記ｎcl1に対する変化分Ｒnを
【数１】
2006053331.tif 000007
と定義したとき、Ｒnが−０．１２％以上０％未満であることを特徴とする請求項２に記載されたフォトニック結晶光ファイバ。
【請求項４】
前記内層クラッド部の外周半径ａ1に対する前記外層クラッド部の内周半径ａ2の比Ｒaが１．３０から１．３７の範囲内であることを特徴とする請求項３に記載されたフォトニック結晶光ファイバ。
【請求項５】
前記内層クラッド部の空孔間隔Λ1が５．５μｍ以下であり、かつ前記空孔間隔Λ1に対する空孔直径ｄ1の比ｄ1／Λ1が０．２から０．５の範囲内であることを特徴とする請求項４に記載されたフォトニック結晶光ファイバ。
【発明の詳細な説明】
【技術分野】
【０００１】
本発明は、フォトニック結晶光ファイバに関し、特に大容量光通信に用いて好適なものである。
【背景技術】
【０００２】
フォトニック結晶光ファイバ（ＰＣＦ：Photonic Crystal Fiber）は、長手方向に伸びる複数の空孔を有する構造の光ファイバである。図７に最も一般的な構造のフォトニック結晶光ファイバを示す。図７に示すように、石英ガラスからなる円柱状のフォトニック結晶光ファイバ２０の内部には、当該フォトニック結晶光ファイバ２０の軸心に沿って管状の空孔２１が当該フォトニック結晶光ファイバ２０の軸心部分のコア２２を包囲するクラッド２３に複数形成されており、当該空孔２１は、その直径ｄが波長オーダであると共に、隣接する間隔Λが均等となっている。このようなフォトニック結晶光ファイバ２０においては、空孔２１がクラッド２３の屈折率を下げるため、コア２２とクラッド２３の間に光の導波構造を形成する。ここで、空孔２１と石英ガラスとの屈折率差が大きいため、空孔２１の位置や大きさを制御することによって、比屈折率差やコア径をフレキシブルに制御することができ、設計の自由度を非常に高くしている。
【０００３】
これまでに、フォトニック結晶光ファイバの広帯域にわたる波長分散の制御性に着目して、分散フラットファイバや分散補償ファイバへの応用に向けた検討がなされている。たとえば、上述したフォトニック結晶光ファイバ２０において、空孔の間隔、および空孔の大きさを最適化することによって、広帯域にわたって零分散付近でフラットな分散特性を有するフォトニック結晶光ファイバが報告されている（下記非特許文献１参照）。また、コア領域を複数の小さな空孔から構成することによって、広帯域にわたってフラットな波長分散特性または負分散特性を有すると共に、従来の単一モード光ファイバ並みの実効断面積Ａeffを有する分散フラット光ファイバ及び分散補償光ファイバが開示されている（下記特許文献１参照）。
【０００４】
【特許文献１】特開２００３−２５５１５２号公報
【非特許文献１】W.H.Leeves et al.,“Demonstration of ultra-flattened dispersion in photonic crystal fibers”, Optics Express，vol.10，No.14，2002年7月，p.609-613
【非特許文献２】Niels Asger Mortensen et al，“Modal cutoff and the V parameter in photonic crystal fibers”，Optics Letters，Vol.28，No.20，2003年10月，p.1879-1881
【発明の開示】
【発明が解決しようとする課題】
【０００５】
しかしながら、上記非特許文献１に記載のフォトニック結晶光ファイバ、上記特許文献１に記載の分散フラット光ファイバ及び分散補償光ファイバではコア領域と、当該コア領域を囲むクラッド領域との実効的な屈折率差が小さくなり、閉じ込め損失が増大してしまう可能性がある、といった課題がある。
【０００６】
そこで、本発明は上記課題に鑑みてなされたものであり、従来のフォトニック結晶光ファイバより大きい実効断面積Ａeffを有し、かつ広帯域にわたって波長分散が低く、かつ低損失であるフォトニック結晶光ファイバを提供することを目的とする。
【課題を解決するための手段】
【０００７】
上述した課題を解決する第１の発明に係るフォトニック結晶光ファイバは、コア部と、前記コア部を包囲する内層クラッド部と、前記内層クラッド部から間隔を空けて包囲する外層クラッド部とを有し、前記内層クラッド部および前記外層クラッド部に複数の空孔をそれぞれ形成し、かつ前記間隔には空孔を形成しないことを特徴とする。
【０００８】
上述した課題を解決する第２の発明に係るフォトニック結晶光ファイバは、第１の発明に記載されたフォトニック結晶光ファイバであって、前記コア部の屈折率ｎcと、前記内層クラッド部の実効屈折率ｎcl1と、前記外層クラッド部の実効屈折率ｎcl2がｎc＞ｎcl2＞ｎcl1なる関係であることを特徴とする。
【０００９】
上述した課題を解決する第３の発明に係るフォトニック結晶光ファイバは、第２の発明に記載されたフォトニック結晶光ファイバであって、前記ｎcl2の前記ｎcl1に対する変化分Ｒnを
【数１】
2006053331.tif 000003
と定義したとき、Ｒnが−０．１２％以上０％未満であることを特徴とする。
【００１０】
上述した課題を解決する第４の発明に係るフォトニック結晶光ファイバは、第３の発明に記載されたフォトニック結晶光ファイバであって、前記内層クラッド部の外周半径ａ1に対する前記外層クラッド部の内周半径ａ2の比Ｒaが１．３０から１．３７の範囲内であることを特徴とする。
【００１１】
上述した課題を解決する第５の発明に係るフォトニック結晶光ファイバは、第４の発明に記載されたフォトニック結晶光ファイバであって、前記内層クラッドの空孔間隔Λ1が５．５μｍ以下であり、かつ前記空孔間隔Λ1に対する空孔直径ｄ1の比ｄ1／Λ1が０．２から０．５の範囲内であることを特徴とする。
【発明の効果】
【００１２】
第１の発明に係るフォトニック結晶光ファイバによれば、コア部と、前記コア部を包囲する内層クラッド部と、前記内層クラッド部から間隔を空けて包囲する外層クラッド部とを有し、前記内層クラッド部および前記外層クラッド部に複数の空孔をそれぞれ形成し、かつ前記間隔には空孔を形成しないことにより、前記内層クラッド部における光の閉じ込め効果が弱くなり、前記コア部から前記内層クラッド部内へ光がしみだすようになる。このように前記内層クラッド部内へしみだした光は前記内層クラッド部と前記外層クラッド部との間の前記間隔にて反射し、前記光は前記外層クラッド部の内周で囲まれる領域内を伝搬することになるので、従来のフォトニック結晶光ファイバと比べて大きな実効断面積Ａeffとなる。さらに、広帯域にわたって波長分散は低くなる。そのうえ、従来のフォトニック結晶光ファイバと比べて閉じ込め損失は低くなる。
【００１３】
第２の発明に係るフォトニック結晶光ファイバによれば、第１の発明に記載されたフォトニック結晶光ファイバであって、前記コア部の屈折率ｎcと、前記内層クラッド部の実効屈折率ｎcl1と、前記外層クラッド部の実効屈折率ｎcl2がｎc＞ｎcl2＞ｎcl1なる関係であることにより、第１の発明と同様な効果を奏する他、高次モードの動作を抑圧して、単一モードの動作を得ることができる。
【００１４】
第３の発明に係るフォトニック結晶光ファイバによれば、第２の発明に記載されたフォトニック結晶光ファイバであって、前記ｎcl2の前記ｎcl1に対する変化分Ｒnを
【数２】
2006053331.tif 000004
と定義したとき、Ｒnが−０．１２％以上０％未満であることにより、第２の発明と同様な効果を奏する他、閉じ込め損失を０．０１ｄＢ／ｋｍ以下とすることができる。
【００１５】
第４の発明に係るフォトニック結晶光ファイバによれば、第３の発明に記載されたフォトニック結晶光ファイバであって、前記内層クラッド部の外周半径ａ1に対する前記外層クラッド部の内周半径ａ2の比Ｒaが１．３０から１．３７の範囲内であることにより、第３の発明と同様な効果を奏する他、従来のフォトニック結晶光ファイバと比べて大きな実効断面積を有する。
【００１６】
第５の発明に係るフォトニック結晶光ファイバによれば、第４の発明に記載されたフォトニック結晶光ファイバであって、前記内層クラッドの空孔間隔Λ1が５．５μｍ以下であり、かつ前記空孔間隔Λ1に対する空孔直径ｄ1の比ｄ1／Λ1が０．２から０．５の範囲内であることにより、第１の発明と同様な効果を奏する他、波長分散を広帯域の波長にわたって低くすることができる。
【発明を実施するための最良の形態】
【００１７】
以下に、本発明に係るフォトニック結晶光ファイバを実施するための最良の形態を説明する。
【００１８】
図１は、本発明の一実施形態に係るフォトニック結晶光ファイバを示し、（ａ）はその概略断面図であり、（ｂ）はその屈折率分布を示す図である。
【００１９】
本発明の一実施形態に係るフォトニック結晶光ファイバは、図１に示すように、フォトニック結晶光ファイバ１０の軸心部分のコア部１と、コア部１を包囲する外周半径ａ1の内層クラッド部２と内層クラッド部２から間隔Ｌを空けて包囲する内周半径ａ2の外層クラッド部３とを含むクラッド部４とを有する。
【００２０】
内層クラッド部２には、断面円形であり、空孔直径ｄ1の空孔５が複数形成され、隣接する空孔５同士の空孔間隔がΛ1となるように配置されている。具体的には、これら空孔５は、六角形の頂点からなる六角形の格子状に周期的に配置されている。同様に、外層クラッド部３には、断面円形であり、空孔直径ｄ1より大きい空孔直径ｄ2の空孔６が複数形成され、隣接する空孔６同士の空孔間隔がΛ2となるように配置されている。具体的には、これら空孔６は、六角形の頂点からなる六角形の格子状に周期的に配置されている。空孔間隔Λ2は空孔間隔Λ1よりも大きくなっている。間隔Ｌには、空孔が形成されていない。このフォトニック結晶光ファイバ１０では、内層クラッド２の空孔５の層、即ちフォトニック結晶光ファイバ１０の軸心からその外周１０ａに向かって周期的に配置される空孔５の数は、３つである。このように、内層クラッド部２における空孔５の層数を少なくし、かつこの空孔５の空孔直径ｄ1を小さくすることにより、内層クラッド部２における光の閉じ込め効果が弱くなり、前記コア部１から前記内層クラッド部２内へ光がしみだす（透過する）ようになる。外層クラッド３における空孔６の層は、即ちフォトニック結晶光ファイバ１０の軸心からその外周１０ａに向かって周期的に配置される空孔６の数は、５つである。
【００２１】
ここで、コア部１の屈折率をｎc、内層クラッド部２の実効屈折率をｎcl1、外層クラッド部３の実効屈折率をｎcl2とする。内層クラッド部２の実効屈折率ｎcl1は、空孔５の存在により実効的に屈折率が下げられるため、コア部１の屈折率ｎcよりも小さくなっている。即ち、ｎc＞ｎcl1となっている。
【００２２】
同様に、外層クラッド部３の実効屈折率ｎcl2は、空孔６の存在により実効的に屈折率が下げられるため、コア部１の屈折率ｎcよりも小さくなっている。即ち、ｎc＞ｎcl2となっている。
【００２３】
さらに、外層クラッド部３の実効屈折率ｎcl2が内層クラッド部２の実効屈折率ｎcl1よりも小さいと、内層クラッド部２と外層クラッド部３との屈折率差が大きくなり、高次モードへの閉じ込め効果も大きくなってしまうので、多モード構造となる可能性がある。
したがって、下記式（１）を満たすことにより、高次モードの動作を抑圧して、単一モードの動作を得ることができる。
ｎc＞ｎcl2＞ｎcl1    （１）
【００２４】
また、上記非特許文献２によれば、フォトニック結晶光ファイバを単一モードで動作させるためには、下記式（２）を満たす必要がある。ここで、νeffが実効的な規格化周波数であり、λが光の波長であり、ｎeffが実効屈折率（伝搬する光が実際に感じる屈折率）である。
【数３】
2006053331.tif 000005
【００２５】
上記非特許文献２では、ルート部分の係数が２πΛ／λとなっているが、上述したフォトニック結晶光ファイバ１０では、外層クラッド部３の内側、即ち内周半径ａ2で囲まれる範囲をコアとみなし、外側クラッド部３における第１層の空孔６の中心までの距離（ａ2＋ｄ2／２）が２πΛ／λのΛに相当するとして計算した。
【００２６】
以下、上述したフォトニック結晶光ファイバ１０と、比較例のフォトニック結晶光ファイバとして、図７に示したフォトニック結晶光ファイバ２０において、隣接する空孔２１同士の間隔Λを２．４μｍ、ｄ／Λを０．２８、空孔２１の層を８層としたものとを用いて、数値計算を行った。ここでは、比較例のフォトニック結晶光ファイバのコアは、上述したフォトニック結晶光ファイバ１０の内層クラッド部２に対応するものとする。
【００２７】
図２は、本発明の一実施形態に係るフォトニック結晶光ファイバ１０におけるＲnと閉じ込め損失との関係を示す図である。ここでは、光の波長λは１５５０ｎｍである。ここで、Ｒnとは、内層クラッド部２における実効屈折率ｎcl1の外層クラッド部３における実効屈折率ｎcl2に対する変化分であり、下記式（３）と定義される。
【数４】
2006053331.tif 000006
【００２８】
内層クラッド部２の外周半径ａ1に対する外層クラッド部３の内周半径ａ2の比ａ2／ａ1をＲaとする。
【００２９】
図２において、直線（ａ）は、フォトニック結晶光ファイバ１０におけるＲa＝１．３０を示し、直線（ｂ）は、フォトニック結晶光ファイバ１０におけるＲa＝１．３５を示し、破線は比較例のフォトニック結晶光ファイバを示す。また、直線（ａ），（ｂ）では、実線が単一モードで動作する領域であり、点線がマルチモードで動作する領域である。ここでは、Λ1＝２．４μｍ、ｄ1／Λ1＝０．２８として計算した。
【００３０】
図２から分かるように、Ｒaが１．３０のとき単一モードで動作するＲnの範囲は、−０．００６％以下となる。さらに、Ｒaの範囲が−０．００６％〜−０．０６８％のときの閉じ込め損失は、０．０１ｄＢ／ｋｍ以下となる。Ｒaが１．３０のとき、Ｒnが−０．００６％で閉じ込め損失が約１０-3ｄＢ／ｋｍとなる。Ｒaが１．３５のとき単一モードで動作するＲnの範囲は、−０．０５％以下となる。さらに、Ｒaの範囲が−０．０５２％〜−０．０８７ときの閉じ込め損失は、０．０１ｄＢ／ｋｍ以下となる。Ｒaが１．３５のとき、Ｒnが０．０５２％で閉じ込め損失が約１０-3ｄＢ／ｋｍとなる。よって、Ｒaが１．３０、または１．３５のときには、フォトニック結晶光ファイバ１０の閉じ込め損失を、０．０１ｄＢ／ｋｍ以下とすることができる。このように閉じ込め損失を０．０１ｄＢ／ｋｍ以下とすると、その損失を光伝送において無視できるようになる。比較例のフォトニック結晶光ファイバの閉じ込め損失は、約１０3ｄＢ／ｋｍである。したがって、本発明の一実施形態に係るフォトニック結晶光ファイバ１０の閉じ込め損失は、比較例のフォトニック結晶光ファイバの閉じ込め損失と比べて、低くなっている、即ち、１０の4乗以上改善している。
【００３１】
また、上述したように、内層クラッド部２の実効屈折率ｎcl1および外層クラッド部３の実効屈折率ｎcl2は上記式（１）の条件を満たすので、Ｒn＞０では単一モードの動作を保証できない。よって、Ｒa＞１．３の範囲にて単一モードで動作させるためには、Ｒn＜−０．００６％≒０％とする必要がある。
【００３２】
図３は、本発明の一実施形態に係るフォトニック結晶光ファイバ１０におけるＲaと実効断面積Ａeffとの関係を示す図である。ここでは、光の波長λは１５５０ｎｍである。同図において、直線（ａ）は、フォトニック結晶光ファイバ１０におけるＲn＝−０．０２％を示し、実線（ｂ）は、フォトニック結晶光ファイバ１０におけるＲn＝−０．０５％を示し、破線は比較例のフォトニック結晶光ファイバを示す。直線（ａ），（ｂ）では、実線が単一モードで動作する領域であり、点線がマルチモードで動作する領域である。ここでは、Λ1＝２．４μｍ、ｄ1／Λ1＝０．２８として計算した。
【００３３】
図３から分かるように、Ｒnが−０．０５％のとき単一モードで動作するＲaの範囲は、１．３０から１．３４６となり、このときの実効断面積Ａeffは、比較例のフォトニック結晶光ファイバの実効断面積Ａeffである２３μｍ2よりも大きくなる。また、Ｒnが−０．０５％のとき、Ｒaが１．３０で実効断面積Ａeffは２８μｍ2となり、Ｒaが１．３４６で実効断面積Ａeffは１２５μｍ2となる。Ｒnが−０．０２％のとき単一モードで動作するＲaの範囲は、１．３０から１．３３８となり、このときの実効断面積Ａeffは、比較例のフォトニック結晶光ファイバの実効断面積Ａeffである２３μｍ2よりも大きくなる。また、Ｒnが−０．０２％のとき、Ｒaが１．３０で実効断面積Ａeffは２８μｍ2となり、Ｒaが１．３３８で実効断面積Ａeffは８７μｍ2となる。よって、フォトニック結晶光ファイバ１０の実効断面積Ａeffは、Ｒaが１．３０以上のとき、比較例のフォトニック結晶光ファイバの実効断面積Ａeffと比べて大きくなる。また、Ｒaが１．３０未満では、フォトニック結晶光ファイバ１０の実効断面積Ａeffが収束しているため、前記実効断面積Ａeffの拡大にはＲa＞１．３とする必要がある。
【００３４】
図４は本発明の一実施形態に係るフォトニック結晶光ファイバ１０におけるＲaとＲnとの関係を示す図である。ここでは、光の波長λは１５５０ｎｍである。同図において、実線（ａ）は実効断面積Ａeffを拡大するための条件によるものであり、実線（ｂ）は閉じ込め損失を０．０１ｄＢ／ｋｍ以下とするための条件によるものであり、実線（ｃ）は単一モードで動作するための条件によるものである。
【００３５】
図４から分かるように、実線（ａ）と実線（ｂ）とはＲaが１．３０、Ｒnが−０．６８で交わり、実線（ｂ）と実線（ｃ）とはＲaが１．３７、Ｒnが−０．１２で交わり、実線（ｃ）と実線（ａ）とはＲaが１．３０、Ｒnが−０．００６で交わる。即ち、実効断面積Ａeffが拡大する条件、閉じ込め損失が０．０１ｄＢ／ｋｍ以下となる条件、および単一モードで動作する条件を満たすには、Ｒaは１．３０から１．３７の範囲内であり、Ｒnは−０．１２％以上０％未満である必要がある。
【００３６】
図５は本発明の一実施形態に係るフォトニック結晶光ファイバ１０における波長分散特性を示す図である。同図において、Ｒa＝１．３４とすると共に、実線（ａ）ではΛ1＝２．４μｍ、ｄ1／Λ1＝０．２８とし、実線（ｂ）ではΛ1＝２．２μｍ、ｄ1／Λ1＝０．３０とし、実線（ｃ）ではΛ1＝２．４μｍ、ｄ1／Λ1＝０．２４とし、実線（ｄ）ではΛ1＝２．２μｍ、ｄ1／Λ1＝０．２８として計算した。
【００３７】
図５から分かるように、実線（ａ）のとき、広帯域にわたって波長分散が５ｐｓ／ｎｍ・ｋｍ付近でフラットとなっている。実線（ｄ）のとき、広帯域にわたって波長分散が約−６．５ｐｓ／ｎｍ・ｋｍ付近でフラットとなっている。本発明の一実施形態に係るフォトニック結晶光ファイバ１０では光が導波する実効断面積Ａeffが内層クラッド部２の全体に広がるため、その波長分散特性は内層クラッド部２の構造に大きく依存している。したがって、図７で示したようなフォトニック結晶光ファイバ２０で波長分散を制御できる構造を、本発明の一実施形態に係るフォトニック結晶光ファイバ１０における内層クラッド部２の構造に対応させることができると考えられる。
【００３８】
図６は本発明の一実施形態に係るフォトニック結晶光ファイバ１０における空孔間隔と、波長分散との関係を示す図である。ここでは、光波長λは１５５０ｎｍである。同図において、実線（ａ）はｄ1／Λ1＝０．５を示し、実線（ｂ）はｄ1／Λ1＝０．４を示し、実線（ｃ）はｄ1／Λ1＝０．３を示し、実線（ｄ）はｄ1／Λ1＝０．２を示し、点線は材料分散を示す。破線は単一モード構造とマルチモード構造となる領域の境界を示す。前記破線より右側の領域では、波長分散が材料分散へ収束し、波長分散の制御性が低くなる。
【００３９】
図６から分かるように、波長分散をフレキシブルに制御するためには、空孔間隔Λ1を実線（ｄ）と破線とが交わる５．５μｍ以下とする必要がある。また、ｄ1／Λ1を０．５以上とすると、フォトニック結晶光ファイバがマルチモードで動作する可能性がある。さらに、空孔間隔Λ1が１μｍ以下、またはｄ1／Λ1が０．２以下のような微細構造のフォトニック結晶光ファイバを製造することは困難であり、空孔の形状を保つことが難しい。よって、波長分散をフレキシブルに制御するためには、内層クラッド部２において、空孔間隔Λ1が５．５μｍ以下であり、かつｄ1／Λ1が０．２から０．５の範囲内であることが望ましい。したがって、本発明の一実施形態に係るフォトニック結晶ファイバ１０によれば、内層クラッド部２における光の閉じ込め効果が弱くなり、コア部１から内層クラッド部２内へ光がしみだすようになる。このように内層クラッド部２内へしみだした光は内層クラッド部２と外層クラッド部３との間の間隔Ｌにて反射し、前記光は外層クラッド部３の内周ａ2で囲まれる領域内を伝搬することになるので、従来のフォトニック結晶光ファイバと比べて大きな実効断面積Ａeffとなる。さらに、広帯域にわたって波長分散は低くなる。そのうえ、従来のフォトニック結晶光ファイバと比べて閉じ込め損失は低くなる。
【００４０】
なお、上述したフォトニック結晶光ファイバ１０では、内層クラッド部２の空孔５、および外層クラッド部３の空孔６をそれぞれ六角形の頂点からなる六角形の格子状に周期的に配置して説明したが、内層クラッド部の空孔、および外層クラッド部の空孔をそれぞれ三角形の頂点からなる三角形の格子状に配置したり、円の円周上に所定の間隔で、かつ前記円が同心円となるように複数配置したりするなど、周期的に配置すれば良い。また、内層クラッド部２の空孔５、および外層クラッド部３の空孔６には空気の代わりに、石英ガラスよりも低い屈折率のガスや液体や固体などを入れても良い。
【産業上の利用可能性】
【００４１】
大容量光通信に用いて好適なフォトニック結晶光ファイバを供するものである。
【図面の簡単な説明】
【００４２】
【図１】本発明の一実施形態に係るフォトニック結晶光ファイバを示し、（ａ）はその概略断面図であり、（ｂ）はその屈折率分布を示す図である。
【図２】本発明の一実施形態に係るフォトニック結晶光ファイバにおけるＲnと閉じ込め損失との関係を示す図である。
【図３】本発明の一実施形態に係るフォトニック結晶光ファイバにおけるＲaと実効断面積Ａeffとの関係を示す図である。
【図４】本発明の一実施形態に係るフォトニック結晶光ファイバにおけるＲaとＲnとの関係を示す図である。
【図５】本発明の一実施形態に係るフォトニック結晶光ファイバにおける波長分散特性を示す図である。
【図６】本発明の一実施形態に係るフォトニック結晶光ファイバにおける空孔間隔と波長分散との関係を示す図である。
【図７】従来のフォトニック結晶光ファイバを示し、（ａ）はその概略断面図であり、（ｂ）はその屈折率分布を示す図である。
【符号の説明】
【００４３】
１      コア部
２      内層クラッド部
３      外層クラッド部
４      クラッド部
５，６  空孔
【図１】
2006053331.tif 000008
【図２】
2006053331.tif 000009
【図３】
2006053331.tif 000010
【図４】
2006053331.tif 000011
【図５】
2006053331.tif 000012
【図６】
2006053331.tif 000013
【図７】
2006053331.tif 000014